Podtech/llm-jp-corpus-v4-ja_patent huggingface dataset:
【手続補正書】
【提出日】平成25年6月27日(2013.6.27)
【手続補正１】
【補正対象書類名】特許請求の範囲
【補正対象項目名】全文
【補正方法】変更
【補正の内容】
【特許請求の範囲】
【請求項１】
瞳孔を形成する虹彩を持つ眼球の強膜静脈洞の一部に少なくとも一部が置かれるようになった眼内インプラントにおいて、
第１主表面、第２主表面、第１横方向範囲、及び第２横方向範囲を持つ本体を含み、前記第１横方向範囲の前記第２横方向範囲に対するアスペクト比は、２以上であり、
前記本体は、前記第１主表面が凹状表面を含み、前記第２主表面が凸状表面を含むように長さ方向中央軸線を中心として湾曲しており、
前記本体の遠位部分が、チャンネル開口部を持つ長さ方向チャンネルを形成し、前記チャンネル開口部は、前記凹状表面の中央部分と直径方向反対側に配置されており、
前記本体は、前記眼内インプラントを強膜静脈洞に配置したとき、前記チャンネル開口部が強膜静脈洞の主側部と隣接する配向を前記眼内インプラントがとるようになっており、そのように形成されている、眼内インプラント。
【請求項２】
請求項１に記載の眼内インプラントにおいて、
前記チャンネルは、前記チャンネル開口部が強膜静脈洞の外主側部と隣接したとき、瞳孔から遠ざかる方向に開放しており、前記外主側部は、前記強膜静脈洞の内主側部よりも前記瞳孔から遠い、眼内インプラント。
【請求項３】
請求項１に記載の眼内インプラントにおいて、
前記チャンネルは所定の幅及び深さを有し、
前記幅の前記深さに対するアスペクト比は、前記眼内インプラントが強膜静脈洞に配置されたとき、前記チャンネル開口部が強膜静脈洞の主側部と隣接する配向を前記眼内インプラントがとるようなアスペクト比である、眼内インプラント。
【請求項４】
請求項３に記載の眼内インプラントにおいて、
前記幅の前記深さに対するアスペクト比は、１よりも大きい、眼内インプラント。
【請求項５】
請求項４に記載の眼内インプラントにおいて、
前記幅の前記深さに対するアスペクト比は、約２である、眼内インプラント。
【請求項６】
請求項１に記載の眼内インプラントにおいて、
前記本体は、前記長さ方向中央軸線を中心として湾曲しているため、前記本体の前記遠位部分は、１８０°よりも小さい角度に亘って延びている、眼内インプラント。
【請求項７】
請求項１に記載の眼内インプラントにおいて、
前記本体には、前記チャンネルと流体連通した追加の開口部が形成されており、前記インプラントの前記本体は、前記本体に形成された開口部により、５０％よりも大きく開放している、眼内インプラント。
【請求項８】
請求項１に記載の眼内インプラントにおいて、更に、
前記本体に付着した治療剤を含む、眼内インプラント。
【請求項９】
請求項８に記載の眼内インプラントにおいて、
前記治療剤は、抗緑内障薬を含む、眼内インプラント。
【請求項１０】
請求項９に記載の眼内インプラントにおいて、
前記抗緑内障薬は、プロスタグランジン類似体を含む、眼内インプラント。
【請求項１１】
請求項１０に記載の眼内インプラントにおいて、
前記プロスタグランジン類似体は、ラタノプロストを含む、眼内インプラント。
【請求項１２】
請求項１に記載の眼内インプラントにおいて、
前記本体は横方向中央軸線を中心として湾曲しており、前記本体の長さ方向軸線が平面を形成する、眼内インプラント。
【請求項１３】
請求項１２に記載の眼内インプラントにおいて、
前記本体は、前記横方向中央軸線と前記本体の外範囲との間を延びる横方向曲率半径を有する、眼内インプラント。
【請求項１４】
請求項１３に記載の眼内インプラントにおいて、
前記横方向曲率半径は実質的に一定である、眼内インプラント。
【請求項１５】
請求項１４に記載の眼内インプラントにおいて、
前記横方向曲率半径は前記本体の長さに沿って変化する、眼内インプラント。
【手続補正書】
【提出日】平成25年6月27日(2013.6.27)
【手続補正１】
【補正対象書類名】特許請求の範囲
【補正対象項目名】全文
【補正方法】変更
【補正の内容】
【特許請求の範囲】
【請求項１】
眼内インプラント送出システムにおいて、
ハウジングと、
前記ハウジングに連結された、人間の眼球の強膜静脈洞に挿入する大きさ及び形状のカニューレと、
前記ハウジングに配置された、眼内インプラントを前記カニューレ内で前進したり引っ込めたりするように形成された送出機構と、
前記ハウジングに配置された、前記カニューレの回転を制御するように形成された配向機構とを含み、前記カニューレを回転したとき、前記眼内インプラントは前記カニューレに関するその配向を維持する、眼内インプラント送出システム。
【請求項２】
請求項１に記載の眼内インプラント送出システムにおいて、更に、
前記カニューレ内に摺動自在に配置された、前記送出機構に連結されたプッシュチューブを含む、眼内インプラント送出システム。
【請求項３】
請求項２に記載の眼内インプラント送出システムにおいて、
前記眼内インプラントは、前記プッシュチューブの遠位部分に連結されている、眼内インプラント送出システム。
【請求項４】
請求項１に記載の眼内インプラント送出システムにおいて、
前記ハウジングでの前記送出機構及び前記配向機構の相対的位置により、前記眼内インプラントの前進及び引っ込め及び前記カニューレの回転を片手で制御できる、眼内インプラント送出システム。
【請求項５】
請求項１に記載の眼内インプラント送出システムにおいて、更に、
前記眼内インプラント内に配置されたコアシャフトを含む、眼内インプラント送出システム。
【請求項６】
請求項１に記載の眼内インプラント送出システムにおいて、
前記眼内インプラントは、前記カニューレの遠位チップを越えて前進されたとき、前記眼内インプラント送出システムと係合した状態から自動的に外れるように形成されている、眼内インプラント送出システム。
【請求項７】
請求項６に記載の眼内インプラント送出システムにおいて、
前記眼内インプラントは、拡張形態をとるようにプリバイアスが加えられている、眼内インプラント送出システム。
【請求項８】
請求項１に記載の眼内インプラント送出システムにおいて、更に、
前記眼内インプラントと係合するように形成された係止キーを持つコアケーブルを含む、眼内インプラント送出システム。
【請求項９】
請求項８に記載の眼内インプラント送出システムにおいて、
前記眼内インプラントは、拡張形態をとるようにプリバイアスが加えられている、眼内インプラント送出システム。
【手続補正書】
【提出日】平成25年7月8日(2013.7.8)
【手続補正１】
【補正対象書類名】特許請求の範囲
【補正対象項目名】全文
【補正方法】変更
【補正の内容】
【特許請求の範囲】
【請求項１】
組織または細胞試料における１以上の可能性のある標的を検出するために、組織または細胞試料の細胞学的または組織学的評価をするための方法であって、以下の工程：
ａ）組織切片または細胞調製物の１つを、標的に対するオフ速度が遅いアプタマーを含む溶液と接触させ；
ｂ）オフ速度が遅いアプタマーを組織または細胞試料と平衡化させて、オフ速度が遅いアプタマー標的アフィニティ複合体を形成し、次いでオフ速度が遅いアプタマーと非標的分子との間の非特異的複合体が解離後に再形成されないように速度論的負荷を適用し；
ｃ）オフ速度の遅いアプタマーを標的の存否を示すものとして検出する
ことを含み、
ここでオフ速度の遅いアプタマーは、単独でまたはあらゆる組み合わせで、５位ピリミジン修飾、２’位糖修飾、環外アミンでの修飾、４−チオウリジンの置換、５−ブロモまたは５−ヨードウラシルの置換、主鎖修飾、メチル化、異常な塩基対形成の組み合わせ、例えばイソ塩基、イソシチジンおよびイソグアニジンを含む、前記方法。
【請求項２】
細胞または組織試料を得て、前記試料を複数の細胞試料分割量（ａｌｉｑｕａｔ）または調製物または組織切片に分ける工程をさらに含む、請求項１記載の方法。
【請求項３】
オフ速度の遅いアプタマーは、図１４に示す部分から選ばれるＣ−５位修飾、またはベンジルカルボキシアミド、ナフチルメチルカルボキシアミド、トリプタミノカルボキシアミドおよびイソブチルカルボキシアミドから選ばれる置換基によるＣ−５位におけるデオキシウリジンの置換を含む、請求項１または２記載の方法。
【請求項４】
５位修飾が、５−（Ｎ−ベンジルカルボキシアミド）−２’−デオキシウリジン、５−（Ｎ−イソブチルカルボキシアミド）−２’−デオキシウリジン、５−（Ｎ−トリプタミノカルボキシアミド）−２’−デオキシウリジン、５−（Ｎ−［１−（３−トリメチルアンモニウム）プロピル］カルボキシアミド）−２’−デオキシウリジンクロリド、５−（Ｎ−ナフチルカルボキシアミド）−２’−デオキシウリジン、または５−（Ｎ−［１−（２，３−ジヒドロキシプロピル）］カルボキシアミド）−２’−デオキシウリジンから選択される、請求項１〜３のいずれかに記載の方法。
【請求項５】
工程ｂ）で得られた結果を、第２の細胞試料分割量または組織切片を前記のオフ速度が遅いアプタマーを欠いた工程ｂ）におけるような溶液と反応させることにより調製された陰性対照と比較することをさらに含む、請求項１〜４のいずれかに記載の方法。
【請求項６】
速度論的負荷が、未結合のオフ速度が遅いアプタマーと非特異的複合体を形成することができる競合剤分子を添加することを含む、請求項１〜５のいずれかに記載の方法。
【請求項７】
競合剤分子が、ポリアニオン、ヘパリン、ニシン精子ＤＮＡ、サケ精子ＤＮＡ、ｔＲＮＡ、デキストラン硫酸、ポリデキストラン、脱塩基性ホスホジエステルポリマー、ｄＮＴＰ、ピロホスフェート、ポリカチオン、スペルミン、スペルミジン、ポリリジン、ポリアルギニン、アミノ酸、アルギニン、リジンまたはその組み合わせを含む、請求項６記載の方法。
【請求項８】
速度論的負荷がアプタマーの希釈を含む、請求項１〜７のいずれかに記載の方法。
【請求項９】
希釈度が２×、３×、４×、５×、またはより大きい希釈度である、請求項８記載の方法。
【請求項１０】
試料の希釈と競合剤分子の導入が同時に起こる、請求項６〜９のいずれかに記載の方法。
【請求項１１】
標的分子が特定の疾患状態を示す、請求項１〜１０のいずれかに記載の方法。
【請求項１２】
標的が疑わしい腫瘍のタイプおよび起源を示す、請求項１０記載の方法。
【請求項１３】
オフ速度が遅いアプタマーが検出可能部分を含む、請求項１〜１２のいずれかに記載の方法。
【請求項１４】
以下の工程：
ｉ）組織または細胞試料を得る；
ｉｉ）試料切片を固定することによって組織または細胞試料を調製する；
ｉｉｉ）固定された組織または細胞切片を脱水する；
ｉｖ）脱水された組織または細胞切片を透徹（ｃｌｅａｒｉｎｇ）する；
ｖ）透徹された組織または細胞切片を顕微鏡スライド上で固定化する；
ｖｉ）固定化された組織または細胞切片を洗浄する；そして
ｖｉｉ）洗浄された組織または細胞切片をブロッキングする、
を含む、請求項２〜１３のいずれかに記載の方法。
【手続補正書】
【提出日】平成25年7月11日(2013.7.11)
【手続補正１】
【補正対象書類名】特許請求の範囲
【補正対象項目名】全文
【補正方法】変更
【補正の内容】
【特許請求の範囲】
【請求項１】
患者におけるＴＮＦＲ１媒介性シグナル伝達を部分的に阻害することによりＴＮＦＲ１媒介性疾患または状態を治療および／または予防するために、ＴＮＦＲ１媒介性疾患または状態を呈している患者へ投与するための抗ＴＮＦα受容体１型（ＴＮＦＲ１；ｐ５５）アンタゴニストであって、該アンタゴニストはＴＮＦＲ１の非競合阻害剤であり、
１００ｎＭの濃度の該アンタゴニストは、
（ｉ）免疫サンドイッチ法により測定された場合に標準的ＭＲＣ５細胞アッセイ法において１００ｐｇ／ｍｌのＴＮＦα濃度であるヒトＴＮＦαの存在下、該アッセイ法にて５０％超；
（ｉｉ）免疫サンドイッチ法により測定された場合に標準的ＭＲＣ５細胞アッセイ法において２ｎｇ／ｍｌ以上のＴＮＦα濃度であるヒトＴＮＦαの存在下、該アッセイ法にて５０％以下；
ＴＮＦＲ１を阻害し、
ここで該アンタゴニストは、ＤＯＭ１ｈ−５７４−１５６、ＤＯＭ１ｈ−５７４−７２、ＤＯＭ１ｈ−５７４−１０９、ＤＯＭ１ｈ−５７４−１３８、ＤＯＭ１ｈ−５７４−１６２およびＤＯＭ１ｈ−５７４−１８０から選択される免疫グロブリン単一可変ドメインへのヒトＴＮＦＲ１の結合を阻害する、
上記アンタゴニスト。
【請求項２】
患者におけるＴＮＦＲ１媒介性シグナル伝達を部分的に阻害することによりＴＮＦＲ１媒介性疾患または状態を治療および／または予防するために、ＴＮＦＲ１媒介性疾患または状態を呈している患者へ投与するための医薬品の製造における抗ＴＮＦα受容体１型（ＴＮＦＲ１；ｐ５５）アンタゴニストの使用であって、該アンタゴニストはＴＮＦＲ１の非競合阻害剤であり、
１００ｎＭの濃度の該アンタゴニストは、
（ｉ）免疫サンドイッチ法により測定された場合に標準的ＭＲＣ５細胞アッセイ法において１００ｐｇ／ｍｌの濃度であるヒトＴＮＦαの存在下、該アッセイ法にて５０％超；
（ｉｉ）免疫サンドイッチ法により測定された場合に標準的ＭＲＣ５細胞アッセイ法において２ｎｇ／ｍｌ以上の濃度であるヒトＴＮＦαの存在下、該アッセイ法にて５０％以下；
ＴＮＦＲ１を阻害し、
ここで該アンタゴニストは、ＤＯＭ１ｈ−５７４−１５６、ＤＯＭ１ｈ−５７４−７２、ＤＯＭ１ｈ−５７４−１０９、ＤＯＭ１ｈ−５７４−１３８、ＤＯＭ１ｈ−５７４−１６２およびＤＯＭ１ｈ−５７４−１８０から選択される免疫グロブリン単一可変ドメインへのヒトＴＮＦＲ１の結合を阻害する、
上記使用。
【請求項３】
アンタゴニストがＤＯＭ１ｈ−５７４−１５６、ＤＯＭ１ｈ−５７４−７２、ＤＯＭ１ｈ−５７４−１０９、ＤＯＭ１ｈ−５７４−１３８、ＤＯＭ１ｈ−５７４−１６２またはＤＯＭ１ｈ−５７４−１８０のアミノ酸配列と少なくとも８０％同一であるアミノ酸配列を有する免疫グロブリン可変ドメインを含む、請求項１に記載のアンタゴニスト、または請求項２に記載の使用。
【請求項４】
患者におけるＴＮＦＲ１媒介性シグナル伝達を部分的に阻害することによりＴＮＦＲ１媒介性疾患または状態を治療および／または予防するために、ＴＮＦＲ１媒介性疾患または状態を呈している患者へ投与するための抗ＴＮＦα受容体１型（ＴＮＦＲ１；ｐ５５）アンタゴニストであって、該アンタゴニストはＴＮＦＲ１の非競合阻害剤であり、
１００ｎＭの濃度の該アンタゴニストは、
（ｉ）標準的Ｌ９２９細胞アッセイ法において２０ｐｇ／ｍｌ濃度のマウスＴＮＦαの存在下、該アッセイ法にて５０％超；
（ｉｉ）標準的Ｌ９２９細胞アッセイ法において１００ｐｇ／ｍｌ以上の濃度のマウスＴＮＦαの存在下、該アッセイ法にて５０％以下；
ＴＮＦＲ１を阻害し、
ここで該アンタゴニストは、ＤＯＭ１ｈ−５７４−１５６、ＤＯＭ１ｍ−２１−２３、ＤＯＭ１ｈ−５７４−１５６、ＤＯＭ１ｈ−５７４−７２、ＤＯＭ１ｈ−５７４−１０９、ＤＯＭ１ｈ−５７４−１３８、ＤＯＭ１ｈ−５７４−１６２およびＤＯＭ１ｈ−５７４−１８０から選択される免疫グロブリン単一可変ドメインへのマウスＴＮＦＲ１の結合を阻害する、
上記アンタゴニスト。
【請求項５】
患者におけるＴＮＦＲ１媒介性シグナル伝達を部分的に阻害することによりＴＮＦＲ１媒介性疾患または状態を治療および／または予防するために、ＴＮＦＲ１媒介性疾患または状態を呈している患者へ投与するための医薬品の製造における抗ＴＮＦα受容体１型（ＴＮＦＲ１；ｐ５５）アンタゴニストの使用であって、該アンタゴニストはＴＮＦＲ１の非競合阻害剤であり、
１００ｎＭの濃度の該アンタゴニストは、
（ｉ）標準的Ｌ９２９細胞アッセイ法において２０ｐｇ／ｍｌ濃度のマウスＴＮＦαの存在下、該アッセイ法にて５０％超；
（ｉｉ）標準的Ｌ９２９細胞アッセイ法において１００ｐｇ／ｍｌ以上の濃度のマウスＴＮＦαの存在下、該アッセイ法にて５０％以下；
ＴＮＦＲ１を阻害し、
ここで該アンタゴニストは、ＤＯＭ１ｈ−５７４−１５６、ＤＯＭ１ｍ−２１−２３、ＤＯＭ１ｈ−５７４−１５６、ＤＯＭ１ｈ−５７４−７２、ＤＯＭ１ｈ−５７４−１０９、ＤＯＭ１ｈ−５７４−１３８、ＤＯＭ１ｈ−５７４−１６２およびＤＯＭ１ｈ−５７４−１８０から選択される免疫グロブリン単一可変ドメインへのマウスＴＮＦＲ１の結合を阻害する、
上記使用。
【請求項６】
アンタゴニストがＤＯＭ１ｈ−５７４−１５６またはＤＯＭ１ｍ−２１−２３のアミノ酸配列と少なくとも８０％同一であるアミノ酸配列を有する免疫グロブリン可変ドメインを含む、請求項４に記載のアンタゴニスト、または請求項５に記載の使用。
【請求項７】
前記状態が炎症状態、任意に慢性炎症状態である、請求項１〜６のいずれか１項に記載のアンタゴニスト、または使用。
【請求項８】
前記状態が関節炎（任意に関節リウマチまたは若年性関節リウマチ）、強直性脊椎炎、骨関節炎、炎症腸疾患（任意にクローン病または潰瘍性大腸炎）および乾癬からなる群から選択される、請求項１〜７のいずれか１項に記載のアンタゴニスト、または使用。
【請求項９】
請求項１または４に記載のアンタゴニストをコードする塩基配列を含む単離または組換え核酸。
【請求項１０】
請求項９に記載の核酸を含むベクター。
【請求項１１】
請求項９に記載の核酸、または請求項１０に記載のベクターを含む宿主細胞。
【請求項１２】
請求項１または４に記載の抗ＴＮＦＲ１アンタゴニストおよび薬学的に許容可能なキャリア、賦形剤もしくは希釈剤を含む医薬組成物。
【手続補正書】
【提出日】平成25年6月20日(2013.6.20)
【手続補正１】
【補正対象書類名】明細書
【補正対象項目名】発明の名称
【補正方法】変更
【補正の内容】
【発明の名称】皮膚照射装置
【手続補正２】
【補正対象書類名】特許請求の範囲
【補正対象項目名】全文
【補正方法】変更
【補正の内容】
【特許請求の範囲】
【請求項１】
第１の方向に延在するライン形状の照射パターンを生成する、各々が前記ライン形状の照射パターンの各部分を供給する複数の要素を持つ光照射源を有する光照射ユニットと、第１の方向を横切る第２の方向に前記ライン形状の照射パターンを動かすための動き機構と、皮膚状態プロフィールを検出するための検出ユニットと、前記検出ユニットにより検出される前記皮膚状態プロフィールに依存して、前記ライン形状の照射パターンに対するパワー密度分布を制御するための制御ユニットとを有する、皮膚照射装置。
【請求項２】
前記検出ユニットが走査領域内の皮膚状態プロフィールを検出し、前記動き機構は前記ライン形状の放射パターンが前記走査領域を横切るようにさせ、前記制御ユニットが前記走査領域に対して検出された前記皮膚状態プロフィールに基づいて、前記パワー密度分布を制御する、請求項１に記載の皮膚照射装置。
【請求項３】
患者の動き表示信号を生成するための動き検出ユニットを更に有し、前記制御ユニットは、前記走査領域に対して検出された前記皮膚状態プロフィールと前記患者の動き表示信号とに基づいて、前記パワー密度分布を制御する、請求項２に記載の皮膚照射装置。
【請求項４】
前記検出ユニットは、ライン形状の検出領域内の皮膚状態プロフィールを検出する、請求項１に記載の皮膚照射装置。
【請求項５】
前記ライン形状の照射パターンは前記ライン形状の検出領域でターゲットにされ、前記動き機構は、その後前記皮膚状態プロフィールが決定され、前記ライン形状の照射パターンが前記ライン形状の検出領域に付与された後、第２の方向の次の位置へ前記ライン形状の検出領域を動かす、請求項４に記載の皮膚照射装置。
【請求項６】
前記検出ユニットは、前記ライン形状の照射パターンにより照射されるライン形状の照射領域に関して第２の方向の先頭に位置される他のライン形状の検出領域内の皮膚状態を検出する、請求項４に記載の皮膚照射装置。
【請求項７】
前記検出ユニット及び前記光照射ユニットが、前記動き機構により動かされる共通ハウジング内に設けられる、請求項４に記載の皮膚照射装置。
【請求項８】
前記制御ユニットによりスケジュールされる皮膚に付与される照射パワープロフィール及び／又は照射量プロフィールを示すための表示機構を更に有する、請求項１に記載の皮膚照射装置。
【請求項９】
前記制御ユニットによりスケジュールされる照射パワープロフィール及び／又は照射量プロフィールをオペレータが変更可能にするフィードバック機構を更に有する、請求項８に記載の皮膚照射装置。
【請求項１０】
オペレータにより示される照射パワープロフィール及び／又は照射量プロフィールの補正に基づいて、前記検出ユニット又は前記制御ユニットの適切な動作を教示するための学習ユニットを更に有する、請求項９に記載の皮膚照射装置。
【請求項１１】
治療セッションに関係するデータを格納するための格納機構を有する、請求項１に記載の皮膚照射装置。
【手続補正書】
【提出日】平成25年4月17日(2013.4.17)
【手続補正１】
【補正対象書類名】特許請求の範囲
【補正対象項目名】全文
【補正方法】変更
【補正の内容】
【特許請求の範囲】
【請求項１】
長手軸およびピストンを有する中空の柱状本体を含む分取クロマトグラフィーカラムであって、該ピストンは、該柱状本体に置かれ、該柱状本体における樹脂スペースの上端を定めるために該軸に沿って移動可能である分取クロマトグラフィーカラムにおいて、改善は、該軸に対して平行である構成要素を有する該柱状本体のストリップセクションが透明な材料のストリップに置き換えられて、該カラムにおける粒状のクロマトグラフィー樹脂の配置の間、および該樹脂の上への該ピストンの下降の間に該透明な材料を介して該カラムの内部のモニタリングを可能にする、改善。
【請求項２】
前記ストリップセクションが前記軸に対して平行である、請求項１に記載の分取クロマトグラフィーカラム。
【請求項３】
前記柱状本体が、凹状の内表面を有する直円柱であり、前記ストリップセクションが、凹状である内側に向いた表面を有して、該柱状本体の該凹状の内表面と連続した曲線を形成する、請求項１に記載の分取クロマトグラフィーカラム。
【請求項４】
前記ストリップセクションが、前記軸に対して平行であり、透明な材料の前記ストリップは、楔を形成するように角度をなす長手方向の縁を有する、請求項３に記載の分取クロマトグラフィーカラム。
【請求項５】
柱状分取クロマトグラフィーカラムにおいてクロマトグラフィー用の樹脂粒子の床を形成する方法であって、該柱状分取クロマトグラフィーカラムは、長手軸およびピストンを有し、該ピストンは、該カラムにおいて樹脂スペースの上端を定めるために該軸に沿って該カラム内で移動可能であり、該方法は、該カラムの壁の透明なストリップを介して、このように形成された該床をモニタリングしながら、該カラムへと該粒子のスラリーを供給して、該カラム内で該粒子の床を形成する工程を含み、該透明なストリップが該軸に対して平行である構成要素を有する、方法。
【請求項６】
前記ストリップセクションが前記軸に対して平行である、請求項５に記載の方法。
【請求項７】
前記柱状本体が、凹状の内表面を有する直円柱であり、前記ストリップセクションが、凹状である内側に向いた表面を有して、該柱状本体の該凹状の内表面と連続した曲線を形成する、請求項５に記載の方法。
【請求項８】
前記モニタリングが視覚的観測によって実施される、請求項５に記載の方法。
【請求項９】
長手軸を有する柱状分取クロマトグラフィーカラム内でクロマトグラフィー用の樹脂粒子の床の上にピストンを下降させ、実質的に該粒子を破壊することなく、該床の充填密度の均一性を高める方法であって、該方法は、該カラムの壁の透明なストリップを介して該カラムの中の該ピストンの位置をモニタリングする工程を含み、該ピストンが該粒子と接触するときに該透明なストリップが該軸に対して平行である構成要素を有する、方法。
【請求項１０】
前記モニタリングが視覚的観測によって実施される、請求項９に記載の方法。
【請求項１１】
前記ストリップセクションが前記軸に対して平行である、請求項９に記載の方法。
【請求項１２】
前記柱状本体が、凹状の内表面を有する直円柱であり、前記ストリップセクションが、凹状である内側に向いた表面を有して、該柱状本体の該凹状の内表面と連続した曲線を形成する、請求項９に記載の方法。
【請求項１３】
前記透明な材料のストリップが、前記柱の前記凹状の内表面と連続した曲線を形成するための凹状である内側に向いた表面、および長手方向の縁を有し、該長手方向の縁は、カラム内部からの圧力が、該長手方向の縁を前記柱状本体の接触する縁に向かって押すように配向された楔の形態の断面を伴うストリップを提供するように角度をなす、請求項１に記載の方法。
【手続補正２】
【補正対象書類名】明細書
【補正対象項目名】０００６
【補正方法】変更
【補正の内容】
【０００６】
これら、および他の、本発明の目的、特徴、ならびに利益は、以下の記載から明らかである。
例えば、本発明は以下の項目を提供する。
（項目１）
長手軸およびピストンを有する中空の柱状本体を含む分取クロマトグラフィーカラムであって、該ピストンは、該柱状本体に置かれ、該柱状本体における樹脂スペースの上端を定めるために該軸に沿って移動可能である分取クロマトグラフィーカラムにおいて、改善は、該軸に対して平行である構成要素を有する柱状本体のストリップセクションが透明な材料のストリップに置き換えられて、該カラムにおける粒状のクロマトグラフィー樹脂の配置の間、および該樹脂の上への該ピストンの下降の間に該透明な材料を介して該カラムの内部のモニタリングを可能にする、改善。
（項目２）
前記ストリップセクションが前記軸に対して平行である、項目１に記載の分取クロマトグラフィーカラム。
（項目３）
前記柱状本体が、凹状の内表面を有する直円柱であり、前記ストリップセクションが、凹状である内側に向いた表面を有して、該柱状本体の該凹状の内表面と連続した曲線を形成する、項目１に記載の分取クロマトグラフィーカラム。
（項目４）
前記ストリップセクションが、前記軸に対して平行であり、透明な材料の前記ストリップは、楔を形成するように角度をなす長手方向の縁を有する、項目３に記載の分取クロマトグラフィーカラム。
（項目５）
柱状分取クロマトグラフィーカラムにおいてクロマトグラフィー用の樹脂粒子の床を形成する方法であって、該柱状分取クロマトグラフィーカラムは、長手軸およびピストンを有し、該ピストンは、該カラムにおいて樹脂スペースの上端を定めるために該軸に沿って該カラム内で移動可能であり、該方法は、該カラムの壁の透明なストリップを介して、このように形成された該床をモニタリングしながら、該カラムへと該粒子のスラリーを供給して、該カラム内で該粒子の床を形成する工程を含み、該透明なストリップが該軸に対して平行である構成要素を有する、方法。
（項目６）
前記ストリップセクションが前記軸に対して平行である、項目５に記載の方法。
（項目７）
前記柱状本体が、凹状の内表面を有する直円柱であり、前記ストリップセクションが、凹状である内側に向いた表面を有して、該柱状本体の該凹状の内表面と連続した曲線を形成する、項目５に記載の方法。
（項目８）
前記モニタリングが視覚的観測によって実施される、項目５に記載の方法。
（項目９）
長手軸を有する柱状分取クロマトグラフィーカラム内でクロマトグラフィー用の樹脂粒子の床の上にピストンを下降させ、実質的に該粒子を破壊することなく、該床の充填密度の均一性を高める方法であって、該方法は、該カラムの壁の透明なストリップを介して該カラムの中の該ピストンの位置をモニタリングする工程を含み、該ピストンが該粒子と接触するときに該透明なストリップが該軸に対して平行である構成要素を有する、方法。
（項目１０）
前記モニタリングが視覚的観測によって実施される、項目９に記載の方法。
（項目１１）
前記ストリップセクションが前記軸に対して平行である、項目９に記載の方法。
（項目１２）
前記柱状本体が、凹状の内表面を有する直円柱であり、前記ストリップセクションが、凹状である内側に向いた表面を有して、該柱状本体の該凹状の内表面と連続した曲線を形成する、項目９に記載の方法。
【手続補正書】
【提出日】平成25年6月14日(2013.6.14)
【手続補正１】
【補正対象書類名】特許請求の範囲
【補正対象項目名】全文
【補正方法】変更
【補正の内容】
【特許請求の範囲】
【請求項１】
表示された画像に対する閲覧者の注意すべき特性に従い、画像表示装置上での画像の表示を制御するための画像表示機構であって、
前記画像表示装置上に現在表示されている画像に対する閲覧者の注意すべき特性を判定し、
前記注意すべき特性を外因性の注意または内因性の注意として分類し、
前記注意すべき特性が外因性の注意であるか、または内因性の注意であるかに応じて、前記画像表示装置上の一つまたはそれ以上の画像の表示を制御する、
画像表示機構。
【請求項２】
前記画像表示機構は、
前記画像表示装置の閲覧者を潜在的に含む空間領域内で少なくとも１個の閲覧者画像を取得する撮像装置と、
前記少なくとも１個の閲覧者画像を解析して、画像表示画面の閲覧者が前記空間領域内に存在するか否かを判定する閲覧者検知機構と、
前記空間領域内に存在する閲覧者が前記画像表示画面を注視しているか否かを判定する視線処理工程と、を含み
前記閲覧者の注意すべき特性は、前記空間領域内に存在する前記閲覧者が前記画像表示画面を注視しているか否かの指標を含んで判定される、
請求項１に記載の画像表示機構。
【請求項３】
前記画像表示機構は、
前記画像表示画面を注視している閲覧者の注視パターンを判定するための注視パターン解析機構を含み、
前記閲覧者の注意すべき特性は、前記判定された注視パターンを含む、
請求項１に記載の画像表示機構。
【請求項４】
前記一つまたはそれ以上の画像の表示は、
少なくとも一つの画像を変更するか、
連続する画像の前記表示間のタイミングを制御するか、
画像間の移行を制御するか、
一式の画像の表示シーケンスを制御するか、
音響伴奏を付加するか、または
画像ライブラリからの１つの画像もしくは一式の画像の選択を制御するか、
によって制御される、
請求項１に記載の画像表示機構。
【請求項５】
前記閲覧者の注意すべき特性は、
前記閲覧者の顔特徴、ボディランゲージの特性、音声もしくは言葉上の反応、注視パターン、または、これらの組み合わせに基づいて判定される、
請求項１に記載の画像表示機構。
【請求項６】
前記画像表示機構は、さらに
少なくとも一人のユーザーの顔特徴を保管するための閲覧者顔面ライブラリと、
前記閲覧者の画像から閲覧者の顔特徴を抽出し、前記閲覧者の画像からの前記閲覧者の顔特徴を、前記少なくとも一人のユーザーの顔特徴と比較する閲覧者特定機構と、を含み
前記閲覧者特定機構は、前記閲覧者の画像から抽出された前記閲覧者の顔特徴と所定のユーザーの顔特徴との間の対応を特定し、
前記一つまたはそれ以上の画像の表示は、前記所定のユーザーに関する画像セットから、表示されるべき少なくとも一つの画像を選択することによって制御される、
請求項２に記載の画像表示機構。
【請求項７】
前記所定のユーザーに関する画像セットは、既定の手段において前記所定のユーザーと一致する画像化された対象を含む、
請求項６に記載の画像表示機構。
【請求項８】
前記所定のユーザーに関する個人化されたコンテンツが、前記画像表示装置上に表示される、
請求項７に記載の画像表示機構。
【請求項９】
閲覧者の注意すべき特性に従い、画像の表示を制御するための方法であって、
画像表示装置上に画像ライブラリからの少なくとも一つの画像を表示するステップと、
前記表示された少なくとも一つの画像に対して前記閲覧者の注意すべき特性を判定するステップと、
前記注意すべき特性を外因性の注意または内因性の注意として分類するステップと、
前記注意すべき特性が外因性の注意であるか、または内因性の注意であるかに応じて、前記画像表示装置上の一つまたはそれ以上の画像の表示を制御するステップと、
を含む方法。
【請求項１０】
前記画像表示装置上の一つまたはそれ以上の画像の表示の前記制御は、
前記閲覧者によって閲覧されている表示された画像の解析に対応している、
請求項９に記載の方法。
【請求項１１】
前記方法は、さらに
前記画像表示装置の閲覧者を潜在的に含む空間領域内で少なくとも１個の閲覧者画像を取得するステップと、
前記少なくとも１個の閲覧者画像を解析して、前記画像表示画面の閲覧者が前記空間領域内に存在するか否かを判定するステップと、
前記空間領域が顔面として識別可能な領域を含むか否かを判定するステップと、
前記空間領域内に存在する閲覧者が前記画像表示画面を観察しているか否かを判定するステップと、
前記空間領域内に存在する前記閲覧者の注視パターンを判定し、前記画像表示画面を観察するステップと、を含み
前記画像表示装置上の前記一つまたはそれ以上の画像の表示の前記制御は、さらに、前記判定された注視パターンに対応している、
請求項９に記載の方法。
【請求項１２】
前記一つまたはそれ以上の画像の表示の前記制御は、
前記画像ライブラリからの画像の前記選択を、前記判定された注視パターンに従って変更するステップ、
を含む請求項９に記載の方法。
【請求項１３】
前記注意すべき特性の外因性の注意または内因性の注意として前記分類は、外因性の注意または内因性の注意に係るデータ保管媒体に保管された既定のデータに従って行われる、
請求項１１に記載の方法。
【請求項１４】
前記一つまたはそれ以上の画像の表示は、
少なくとも一つの画像を変更するか、
連続する画像の前記表示間のタイミングを制御するか、
画像間の移行を制御するか、
一式の画像の表示シーケンスを制御するか、
音響伴奏を付加するか、または
画像ライブラリから１つの画像もしくは一式の画像の前記選択を制御するか、
によって制御される、
請求項９に記載の方法。
【請求項１５】
前記一つまたはそれ以上の画像の表示の前記制御は、前記注意すべき特性に従って現在の画像に対する既定の関係を有する画像を選択するステップを含む、
請求項９に記載の方法。
【請求項１６】
前記方法は、さらに
前記少なくとも一人のユーザーの顔特徴を保管するために閲覧者顔面ライブラリにアクセスするステップと、
前記閲覧者の画像から閲覧者の顔特徴を抽出し、前記閲覧者の画像からの前記閲覧者の顔特徴を、前記少なくとも一人のユーザーの前記顔特徴と比較することによってユーザーを特定するステップと、
前記特定されたユーザーに関する少なくとも一つの次の画像を選択または変更するステップと、
を含む請求項９に記載の方法。
【請求項１７】
前記方法は、さらに
前記ユーザーと既定の関係を有する画像の対象に対応する画像セットから、表示されるべき画像を選択するステップ、
を含む請求項１６に記載の方法。
【手続補正書】
【提出日】平成25年6月10日(2013.6.10)
【手続補正１】
【補正対象書類名】特許請求の範囲
【補正対象項目名】全文
【補正方法】変更
【補正の内容】
【特許請求の範囲】
【請求項１】
プロセッサを有する統制部と、
前記統制部と通信する複数の処理アクタと、
を有し、前記プロセッサが、前記複数の処理アクタによるヘルスケアイメージングワークフロー計画の閉ループ実現を統制する、システム。
【請求項２】
前記統制部は、イメージングプロシージャの計画から、前記イメージングプロシージャから得られる１又は複数の画像の解釈の提供までの、前記ヘルスケアイメージングワークフロー計画の閉ループ実現を統制する、請求項１に記載のシステム。
【請求項３】
前記統制部は、少なくとも１つの前記処理アクタに、前記ワークフロー計画の進行について通知する、請求項１又は２に記載のシステム。
【請求項４】
前記統制部は、前記ワークフロー計画に影響を及ぼす１又は複数のイベントに基づいて、前記ワークフロー計画を変更する、請求項１乃至３のいずれか１項に記載のシステム。
【請求項５】
前記統制部は、少なくとも１つの前記処理アクタに、前記ワークフロー計画の前記変更について通知する、請求項４に記載のシステム。
【請求項６】
前記統制部は、イメージング又は非イメージングプロシージャの結果の所見に基づいて、前記ワークフロー計画を拡張する、請求項４又は５に記載のシステム。
【請求項７】
前記非イメージングプロシージャがラボラトリプロシージャである、請求項６に記載のシステム。
【請求項８】
前記統制部は、前記ワークフロー計画を実現するために用いられる１又は複数の資源の利用可能性の変更に基づいて、前記ワークフロー計画を変更する、請求項４乃至７のいずれか１項に記載のシステム。
【請求項９】
前記統制部は、前記統制部と前記複数の処理アクタとの間でデータを通信するためのウェブベースのアプリケーションを提供する、請求項１乃至８のいずれか１項に記載のシステム。
【請求項１０】
前記ウェブベースのアプリケーションは、認可された従事者による前記ワークフロー計画の承諾又は拒否を示す入力を受け取るように構成される、請求項９に記載のシステム。
【請求項１１】
前記統制部は、互換性のない通信プロトコルを用いる少なくとも２つの前記処理アクタの間で情報を伝達することを助ける、請求項１乃至１０のいずれか１項に記載のシステム。
【請求項１２】
１つの処理アクタが、前記統制部に、該処理アクタが少なくとも１つの他の処理アクタにとって利用可能な情報を有するとき通知する、請求項１乃至１１のいずれか１項に記載のシステム。
【請求項１３】
前記情報は、前記少なくとも１つの他の処理アクタに自動的にルーティングされる、請求項１２に記載のシステム。
【請求項１４】
前記処理アクタの１つが課金部門であり、前記統制部は、前記課金部門に対し、スケジュールされた又は実施された課金可能なプロシージャのうち少なくとも１つに関する情報を通信する、請求項１乃至１３のいずれか１項に記載のシステム。
【請求項１５】
複数の処理アクタと通信する統制部のプロセッサを通じて、患者のヘルスケアワークフロー計画を実現する方法であって、前記複数の処理アクタが、閉ループ統制を通じて、前記ワークフロー計画のサブ部分を処理する、方法。
【手続補正書】
【提出日】平成25年6月25日(2013.6.25)
【手続補正１】
【補正対象書類名】特許請求の範囲
【補正対象項目名】全文
【補正方法】変更
【補正の内容】
【特許請求の範囲】
【請求項１】
担体溶媒と、
シルセスキオキサンを含む二酸化ケイ素前駆体と、
極性プロトン性溶媒、および
モリブデン（V）エトキシド、
モリブデン（VI）オキシドビス（2,4-ペンタンジオナート）、または
Lが有機分子またはリガンドを含む、MoxLy
のうちの少なくとも一つを含む溶液から、該極性プロトン性溶媒を蒸発させることによって形成された、モリブデン前駆体と
を混合することによって形成された、ゾルゲル組成物。
【誤訳訂正書】
【提出日】平成25年9月17日(2013.9.17)
【誤訳訂正１】
【訂正対象書類名】明細書
【訂正対象項目名】００６７
【訂正方法】変更
【訂正の内容】
【００６７】
ユーザは、カスタムデザイン工程において様々なスタイルを検索しまたは検索を変更することができる。モバイルコンピューティング機器は、ユーザから様々な入力データを受け取る装備を備えていてもよい。例えば、ユーザは画面に触れて様々なオプションを選択したり、データを入力したりすることができる。またユーザは、モバイルコンピューティング機器を物理的に振ったり、「シャッフル」したりしてオプションを選択したり、入力を行ったりすることもできる。例えば、ユーザは、カスタムデザイン製品を購入し、保存し、または共有する前に、特定のスタイルの靴を様々な色で閲覧してもよい。様々な色の組み合わせのそのスタイルの靴を「スクロール表示」するために、ユーザはモバイルコンピューティング機器を物理的に振ったり、「シャッフル」したりしてもよい。そのようなシャッフルはモバイルコンピューティング機器によって感知され、ソフトウェアアプリケーションは、次のスタイルを異なる色の組み合わせで表示するよう指示される。このシャッフル工程は、任意の機能を制御するまたはモバイルコンピューティング機器のカスタム・デザイン・ソフトウェア・アプリケーションに任意のデータを入力するのに使用されてもよい。またユーザは、ソフトウェアアプリケーション内でデータを入力し、またはオプションを選択する手段として、モバイルコンピューティング機器を回転させたり、指でなで(スワイプし）たり、軽くたたいたり、指でつまんだ(ピンチした)りすることもできる。ソフトウェアアプリケーション内でデータを入力し、またはオプションを選択する任意の適切な方法が実施され得る。
【手続補正書】
【提出日】平成25年6月28日(2013.6.28)
【手続補正１】
【補正対象書類名】特許請求の範囲
【補正対象項目名】全文
【補正方法】変更
【補正の内容】
【特許請求の範囲】
【請求項１】
画像記憶手段から画像を検索するシステムであって、
当該システムは：
相似関数によって定義される、画像記憶手段からの画像と問い合わせ画像との間の相似性に基づいて、画像記憶手段から複数の画像を検索する検索ユニット；
前記問い合わせ画像に関する第1属性の値と、前記の検索された複数の画像に関する第2属性の値に基づいて、前記の検索された複数の画像の関連性の値を計算する関連性ユニット；及び、
前記の計算された関連性の値に基づいて前記相似関数を更新する更新ユニット；
を有し、
前記関連性ユニットはさらに、前記の更新された相似関数に基づいて、画像記憶手段から画像を検索するように構成される、
システム。
【請求項２】
前記相似関数は、相似値を計算する複数の寄与を有し、かつ、
前記更新ユニットはさらに、前記の更新された相似関数に含まれる複数の寄与のうちのある寄与を選択するように構成される、
請求項1に記載のシステム。
【請求項３】
前記第2属性の値の各値は画像記憶手段からの画像に対応し、
前記第2属性の値は画像記憶手段内に記憶される、
請求項1又は2に記載のシステム。
【請求項４】
前記第1属性の値は、ユーザー入力に基づいて計算される、請求項1乃至3のいずれか1項に記載のシステム。
【請求項５】
前記第1属性は前記第2属性と同一である、請求項1乃至4のいずれか1項に記載のシステム。
【請求項６】
前記第1及び第2属性はそれぞれ、前記問い合わせ画像及び前記画像記憶手段からの複数の検索された画像が、ある条件を満たすという仮説である、請求項5に記載のシステム。
【請求項７】
前記第1属性の値は、ユーザー入力に基づいて計算され、かつ、
前記ユーザー入力は、前記仮説が真である可能性である、
請求項6に記載のシステム。
【請求項８】
前記仮説は診断上の仮説である、請求項6又は7に記載のシステム。
【請求項９】
前記更新ユニットにより更新された相似関数を用いることによって、前記検索ユニットにより検索された画像に基づいて、前記問い合わせ画像に関する属性の値を予測する予測ユニットをさらに有する、請求項1乃至8のいずれか1項に記載のシステム。
【請求項１０】
請求項1乃至9のいずれか1項に記載のシステムを有するデータベースシステム。
【請求項１１】
請求項1乃至9のいずれか1項に記載のシステムを有する画像検索装置。
【請求項１２】
請求項1乃至9のいずれか1項に記載のシステムを有するワークステーション。
【請求項１３】
画像検索手段から画像を検索する方法であって、
当該方法は：
相似関数によって定義される、問い合わせ画像に対する前記画像検索手段からの画像の相似性に基づいて、問い合わせ画像に相似する前記画像検索手段からの複数の画像を検索する検索手順；
前記問い合わせ画像の第1属性の値と、前記の検索された複数の画像の第2属性の値に基づいて、前記の検索された複数の画像の関連性の値を計算する関連性手順；及び、
少なくとも前記の計算された関連性の値に基づいて、前記相似関数を更新する更新手順；
を有し、
関連性ユニットはさらに、前記の更新された相似関数に基づいて、画像記憶手段から画像を検索するように構成される、
方法。
【請求項１４】
前記更新ユニットにより更新された相似関数を用いることによって、前記検索ユニットにより検索された画像に基づいて、前記問い合わせ画像に関する属性の値を予測する予測手順をさらに有する、請求項13に記載の方法。
【請求項１５】
コンピュータ装置によって読み込まれるコンピュータプログラムであって、
当該コンピュータプログラムは、画像記憶手段から画像を検索する命令を有し、
当該コンピュータ装置は、処理ユニット及びメモリを有し、
当該コンピュータプログラムは、読み込まれた後、前記処理ユニットに請求項13又は14に記載の方法を実行する機能を供する、
コンピュータプログラム。
【手続補正書】
【提出日】平成25年3月14日(2013.3.14)
【手続補正１】
【補正対象書類名】特許請求の範囲
【補正対象項目名】全文
【補正方法】変更
【補正の内容】
【特許請求の範囲】
【請求項１】
ビーム用フィルタ材料を製造するための複合物において、
該複合物には、
−  シリコーンと、
−  当該シリコーンに拡散されている少なくとも１つの着色剤とが含まれており、
前記複合物は、４００ｎｍと７００ｎｍとの間の波長のビームに対して２０％以下の相対透過率を有しており、
８５０ｎｍと１０２５ｎｍとの間の波長のビームに対して５０％以上の相対透過率を有しており、
前記シリコーンは、６０℃ないし１８０℃の領域において熱硬化可能である、
ことを特徴とする、
ビーム用フィルタ材料を製造するための複合物。
【請求項２】
７００ｎｍと８５０ｎｍとの間にある波長のビーム用の前記複合物は、７００ｎｍにおける２０％以下から８５０ｎｍにおける５０％以上に増大する相対透過率を有する、
請求項１に記載の複合物。
【請求項３】
前記相対透過率は、７５０ｎｍを上回る波長において跳躍的に増大して、当該相対透過率が少なくとも２倍になる、
請求項１に記載の複合物。
【請求項４】
前記着色剤は前記シリコーンにおいて均一に分散している、
請求項１から３までのいずれか１項に記載の複合物。
【請求項５】
前記着色剤は、前記複合物において２００μｍ以下の粒子である、
請求項１から４までのいずれか１項に記載の複合物。
【請求項６】
前記複合物は、溶媒黄色１７９，溶媒黄色９３，溶媒黄色１１４，溶媒橙色６０，溶媒橙色１０７，溶媒赤色１７９，溶媒赤色１３５，溶媒赤色１１１，溶媒赤色１９５，溶媒赤色５２，溶媒紫色３６，溶媒紫色１３，溶媒青色９７，溶媒青色１０４，溶媒緑色３，溶媒緑色２８から選択された少なくとも１つの着色剤を含む、
請求項１から５までのいずれか１項に記載の複合物。
【請求項７】
前記複合物には、３つのグループIないしIII
I）  溶媒黄色１７９，溶媒黄色９３，溶媒黄色１１４，溶媒橙色６０，溶媒橙色１０７，溶媒赤色１７９，溶媒赤色１３５，溶媒赤色１１１，溶媒赤色１９５，溶媒赤色５２，
II）  溶媒紫色３６，溶媒紫色１３，溶媒青色９７、溶媒青色１０４，
III）  溶媒緑色３，溶媒緑色２８
の１つずつのグループからの少なくとも１つの着色剤が含まれる、
請求項６に記載の複合物。
【請求項８】
前記複合物には、ジアルキルシリコーンおよび／または芳香族シリコーンが含まれる、
請求項１から７までのいずれか１項に記載の複合物。
【請求項９】
前記複合物には溶媒が含まれていない、
請求項１から８までのいずれか１項に記載の複合物。
【請求項１０】
ビームをフィルタリングするための材料において、
請求項１から９までのいずれか１項に記載の複合物を硬化することによって得られることを特徴とする、ビームをフィルタリングするための材料。
【請求項１１】
フィルタ材料用の複合物を製造する方法において、
Ａ）  シリコーンを準備するステップと、
Ｂ）  当該シリコーンを加熱するステップと、
Ｃ）  ステップＢ）のシリコーンに着色材料を混ぜて拡散を発生させるステップと、
Ｄ）  ステップＣ）の拡散を混ぜて混合物を生じさせるステップと、
Ｅ）  ステップＤ）の混合物を６０℃と８０℃の間の温度に加熱するステップと、
Ｆ）  ステップＥ）の混合物を拡散して、フィルタ材料用の複合物を生じさせるステップとが含まれており、
ここで前記複合物は、４００ｎｍと７００ｎｍとの間の波長のビームに対して２０％以下の相対透過率を有しており、８５０ｎｍと１０２５ｎｍとの間の波長のビームに対して５０％以上の相対透過率を有することを特徴とする、
フィルタ材料用の複合物を製造する方法。
【請求項１２】
Ｇ）  ステップＦ）の複合物を表面に被着して層を形成する付加的なステップを有する、
請求項１１に記載の方法。
【請求項１３】
前記層は、その全面積にわたって同じ吸収特性を有する、
請求項１２に記載の方法。
【請求項１４】
８５０ｎｍから１０２５ｎｍまでの波長領域の波長の電磁ビームを放射するかまたは吸収するオプトエレクトロニクス構成素子において、
当該構成素子は、請求項１０に記載された材料を含む構成部分または層をビーム路に有することを特徴とする
オプトエレクトロニクス構成素子。
【請求項１５】
前記層または前記構成部分は、昼光フィルタである、
請求項１４に記載の構成素子。
【手続補正書】
【提出日】平成24年11月28日(2012.11.28)
【手続補正１】
【補正対象書類名】特許請求の範囲
【補正対象項目名】全文
【補正方法】変更
【補正の内容】
【特許請求の範囲】
【請求項１】
プレート熱交換器（１，１’）であって、
第一の流体のための少なくとも１つの流路（４，４’）を有する前面（２，２’）を有する第一のプレート（４０，４０’）と；
第二の流体のための少なくとも１つの流路（５，５’）を有する前面（３，３’）を有する第二のプレート（５０，５０’）と、
ここで第一および第二のプレート（４０，４０’，５０，５０’）は、同じ流体のための流路（４，４’，５，５’）が貫通開口部を介してそれぞれ互いに接続される貫通開口部（８，８’，９，９’，１３，１３’，１４，１４’，１９，２０）を有しており；
第一のプレート（４０，４０’）の前面（２，２’）の前方に置かれて、第一の流体および第二の流体のためのポート（２１，２１’，２２，２２’，２３，２３’，２４，２４’）を有するフロントプレート（６，６’）と；
並べられたプレート（４０，４０’，５０，５０’，６，６’）の端部を形成するエンドプレート（７，７’）とを含み、
ここでプレート（４０，４０’，５０，５０’，６，６’，７，７’）およびポート（２１，２１’，２２，２２’，２３，２３’，２４，２４’）はプラスチックから形成され、プレート（４０，４０’，５０，５０’，６，６’，７，７’）は、共に密接に接着または溶接されており、流路（５’）の垂直方向下側の領域には、フロントプレート６’に配される液化物ポート（２６）を介して排出される液化物を受け入れる役目を果たす、収集空間（２５）を有するものである、前記プレート熱交換器。
【請求項２】
エンドプレート（７，７’）が、プレート（４０，４０’，５０，５０’）の貫通開口部（８，８’，９，９’，１３，１３’，１４，１４’，１９，２０）に対応する貫通開口部を有する、請求項１に記載のプレート熱交換器。
【請求項３】
フロントプレートの後面（６，６’）に、流路（４，４’）を有する、請求項１または２に記載のプレート熱交換器。
【請求項４】
エンドプレート（７，７’）の前面に、流路（４，４’）を有する、請求項１〜３のいずれか一項に記載のプレート熱交換器。
【請求項５】
フロントプレート（６，６’）の後面（６１，６１’）が平らである、請求項１、２または４のいずれか一項に記載のプレート熱交換器。
【請求項６】
エンドプレート（７，７’）の前面が平らである、請求項１〜３または５のいずれか一項に記載のプレート熱交換器。
【請求項７】
プレート（４０，５０）の前面（２，３）を背にした後面（４１，５１）が平らに構成される、請求項１〜６のいずれか一項に記載のプレート熱交換器。
【請求項８】
プレート（４０’，５０’，６’，７’）の前面（２’，３’）を背にした後面（４１’，５１’，６１’）に、隣接する前面（２’，３’）の流路（４’，５’）に対応する鏡対称の流路（４’，５’）を有する、請求項１〜６のいずれか一項に記載のプレート熱交換器。
【請求項９】
第一のプレート（４０’）および第二のプレート（５０’）が構造的に同一に構成され、第二のプレート（５０’）が、第一のプレート（４０’）に対して１８０°回転して対応するように取り付けられる、請求項８に記載のプレート熱交換器。
【請求項１０】
流路（４，４’，５，５’）に、流れガイド（１２，１６）を有する、請求項１〜９のいずれか一項に記載のプレート熱交換器。
【請求項１１】
プレート（５０’）の前面（３’）に、収集空間（２５）を有する、請求項１〜１０のいずれか一項に記載のプレート熱交換器。
【請求項１２】
フロントプレート（６’）に、収集空間（２５）の出口を形成する液化物ポート（２６）を有する、請求項１１に記載のプレート熱交換器。
【請求項１３】
プレート（４０，４０’，５０，５０’，６，６’，７，７’）およびポート（２１，２１’，２２，２２’，２３，２３’，２４，２４’，２６）が、殺菌可能なプラスチックから形成される、請求項１〜１２のいずれか一項に記載のプレート熱交換器。
【請求項１４】
プレート（４０，４０’，５０，５０’，６，６’，７，７’）およびポート（２１，２１’，２２，２２’，２３，２３’，２４，２４’，２６）が、ＰＣ，ＰＥＴ，ＡＢＳ，ＰＰＥまたはＰＰＳから作成される、請求項１３に記載のプレート熱交換器。
【請求項１５】
プレート（４０，４０’，５０，５０’，６，６’，７，７’）およびポート（２１，２１’，２２，２２’，２３，２３’，２４，２４’，２６）が、ガンマ線および／またはベータ線の照射が可能、または過熱蒸気で加熱殺菌可能である、請求項１〜１４のいずれか一項に記載のプレート熱交換器。
【請求項１６】
プレート熱交換器（１，１’）が、バイオリアクタ（２７，２７’）に接続される、請求項１〜１５のいずれか一項に記載のプレート熱交換器。
【請求項１７】
バイオリアクタ（２７’）から排出されるガスの排出ガス冷却のために、第二の流体の入口のためのポート（２３’）が、バイオリアクタ（２７’）の排出ガスラインに接続され、第二の流体の出口のためのポート（２４’）が、細菌フィルタ（３０）の入口に接続され、第一の流体のためのポート（２１’，２２’）が、冷却回路に接続される、請求項１６に記載のプレート熱交換器。
【請求項１８】
液化物ポート（２６）が、バイオリアクタ（２７’）の流入ポートに接続される、請求項１７に記載のプレート熱交換器。
【請求項１９】
バイオリアクタ（２７）に入れられる媒質の予熱のために、第二の流体の入口のためのポート（２３）が、媒質を供給するための媒質供給ライン（３１）に接続され、第二の流体の出口のためのポート（２４）が、バイオリアクタ（２７）の流入ポートに接続され、第一の流体のためのポート（２１，２２）が、温度調整回路に接続される、請求項１６に記載のプレート熱交換器。
【請求項２０】
プレート熱交換器（１，１’）が使い捨て可能なものである、請求項１〜１９のいずれか一項に記載のプレート熱交換器。
【請求項２１】
収集空間（２５）に接続された、プレート（４０’、５０’）の貫通開口部（１３’）は、細長く構成され、その垂直方向下側の領域は、液化物ポート（２６）に接続され、その垂直方向上側の領域は、第二のプレート（５０’）の流路（５’）につながるポート（２４’）に接続されるものである、請求項１〜２０のいずれか一項に記載のプレート熱交換器。
【手続補正書】
【提出日】平成25年6月17日(2013.6.17)
【手続補正１】
【補正対象書類名】特許請求の範囲
【補正対象項目名】全文
【補正方法】変更
【補正の内容】
【特許請求の範囲】
【請求項１】
金属微小パターンを有する透明基材を含む電子ディスプレイであって、該金属微小パターンの少なくとも一部分は連続的に、該電子ディスプレイの回路に電気的に接続しており、該金属微小パターンは、隣接する対照領域によって画定される少なくとも１つの図形を含み、該図形の該金属微小パターン、該対照領域の該金属微小パターン、又はこれらの組み合わせは、該電子ディスプレイの回路と電気的に接続されていない非連続的微小パターン特徴を含んでなる、電子ディスプレイ。
【請求項２】
前記非連続的微小パターン特徴が、点、線分、塗り潰し図形、又はこれらの組み合わせの配列を含む、請求項１に記載の電子ディスプレイ。
【請求項３】
前記基材が前記電子ディスプレイのタッチセンサーの一部である、請求項１又は２に記載の電子ディスプレイ。